(57)【要約】【課題】調理器具であるグリル皿の調理性能を向上させるとともに、調理後にグリル皿を出す際に油による手や耐熱手袋の汚染を防止する。【解決手段】載置される食品を調理するための調理器具であって、横方向に並べて設けられ食品を載置するための載置面１２、２２をそれぞれ有する第１および第２の土手部１１、２１と、第１および第２の土手部１１、２１の間に設けられる溝部３０と、載置面１２、２２と溝部３０とを囲むように配置された長辺部と短辺部が繋がった周囲溝３を備えた調理器具において、長辺部の周囲溝３Ａを短辺部の周囲溝３Ｂよりも深くした構成とすることにより、調理中に発生した脂を主として長辺部の周囲溝３Ａに溜めることができるので調理後にグリル皿を持ち運ぶ際に脂による手や手袋の汚染、床の汚染を防止することができる。【選択図】図２
2011101723.tif 000002
【特許請求の範囲】
【請求項１】
載置される食品を調理するための調理器具であって、横方向に並べて設けられ前記食品を載置するための載置面を有する第１および第２の土手部と、前記第１および第２の土手部の間に設けられる溝部と、前記載置面と前記溝部とを囲むように配置された長辺部と短辺部からなる周囲溝を備えた調理器具において、前記長辺部の周囲溝の深さを短辺部の周囲溝よりも深くした調理器具。
【請求項２】
前記第１および第２の土手部は、縦方向の位置に応じて前記載置面の横幅が異なる請求項１に記載の調理器具。
【請求項３】
前記載置面の横幅が、前記第１および第２の土手部の縦方向における中央付近で最も広い請求項１または２に記載の調理器具。
【請求項４】
前記溝部の深さが、前記溝部の縦方向の位置に応じて異なる請求項１に記載の調理器具。
【請求項５】
前記溝部の深さが、前記第１および第２の土手部の縦方向における中央付近の近傍で最も浅い請求項１または４に記載の調理器具。
【請求項６】
前記溝部の深さが、前記載置面の横幅が広い箇所の近傍の方が前記載置面の横幅が狭い箇所の近傍より浅い請求項１、２または４に記載の調理器具。
【請求項７】
前記載置面の横幅が、前記第１および第２の土手部の縦方向における中央付近で最も広く、前記溝部の深さが、前記第１および第２の土手部の縦方向における中央付近の近傍で最も浅い請求項６に記載の調理器具。
【請求項８】
加熱室を有し、前記加熱室内に請求項１から７のいずれか１項に記載の調理器具を備えた加熱装置。
【発明の詳細な説明】
【技術分野】
【０００１】
本発明は、加熱装置に用いる調理器具に関し、より具体的には、マイクロ波が照射されることで発生する熱を利用して食品を調理するグリル皿に関するものである。
【背景技術】
【０００２】
近年、電子レンジ等の高周波加熱装置においては、食品に直接マイクロ波を照射することで食品を加熱するマイクロ波加熱機能に加え、高周波加熱装置内に設置する調理器具、いわゆる、グリル皿を用いた調理機能が存在する。以下、これをグリル皿調理機能という。
【０００３】
このグリル皿調理機能とは、マイクロ波を吸収して発熱する発熱体がその裏面に塗布される調理皿を加熱室内に設置し、その調理皿の上に食品を載置して、マイクロ波の照射により発熱体から発生する熱によりその食品を調理するというものである。
【０００４】
このようなグリル皿調理においては、食品がマイクロ波により発熱するグリル皿と接することで加熱されると、食品からは脂がにじみ出すため、この脂を食品とグリル皿との間から排出させる必要がある。以下、これを脂切りという。
【０００５】
従来、脂切りのために、図３、図４に示されるような構成のグリル皿が存在する（例えば、特許文献１参照）。上記従来の技術について、図面を参照して説明する。
【０００６】
図３、図４は、それぞれ従来のグリル皿の上面図、側面断面図、斜視図を示すものである。  図３、図４に示されるように、従来のグリル皿１０１は、上方から見ると全体として略長方形の形状を有し、その周囲には鍔状の形状を有する縁部１０２、縁部１０２の内側に周囲溝１０３が設けられる。
【０００７】
周囲溝１０３の内側には、角に丸みのある細長く薄い直方体形状の土手部が、複数個並べられ、隣り合う２つの土手部の間には溝部１３０が設けられる。各土手部は、周囲溝１０３の一辺から対向する一辺に至るまでの長さがある。
【０００８】
このように、周囲溝１０３の内側部分は、土手部と溝部とが交互に並んだ波形形状となる。周囲溝１０３の底は、溝部１３０の底より低くなっている。
【０００９】
以下、土手部１１１、１２１と、溝部１３０のみに注目する。また、土手部の長手方向を縦方向、土手部の長手方向に対して直角をなす方向を横方向という。
【００１０】
土手部１１１、１２１の上面には、食品が載置される略平面形状の載置面１１２、１２２がそれぞれ設けられる。土手部１１１、１２１および溝部１３０の裏面には、フェライトを主成分とする電波吸収体である発熱体１０４が塗布される。
【００１１】
上記のような構成のグリル皿１０１を高周波加熱装置の加熱室内に設置し（図示せず）、マイクロ波をグリル皿１０１の裏面に照射すると、発熱体１０４が発熱し、載置面１１２、１２２から伝わる熱で食品を調理することができる。
【００１２】
従来のグリル皿１０１は、調理中に食品からにじみ出す脂を、溝部１３０を経由して周囲溝１０３に溜めようとするものである。
【００１３】
ここで、調理の効率、焼きむら等の観点からは、載置面の横方向の長さ、すなわち、載置面の横幅を十分広くし、隣り合う２つの土手部の間隔、すなわち、溝部の横幅をある程度狭くすることが望ましい（例えば、特許文献２参照）。
【先行技術文献】
【特許文献】
【００１４】
【特許文献１】特開２００７−２２５１８６号公報
【特許文献２】特開２００６−５２９３２号公報
【発明の概要】
【発明が解決しようとする課題】
【００１５】
しかしながら、前記従来の構成では、周囲溝１０３の幅、深さは同じであり、かつ深さは２ｍｍ程度と浅く、周囲溝１０３の容積は５０〜７０ＣＣとなっている。少量の食品であれば問題はないが、ハンバーグ４個、サンマ四尾などを調理した場合は、１００ＣＣ以上の脂が発生し、周囲溝１０３は完全に脂で一杯なり、かつ食品の一部も脂に浸かる状況になる。
【００１６】
調理後、グリル皿を電子レンジから開閉扉に沿って引き出し、グリル皿の短辺部に設けられた取手を持って運ぶ際に、グリル皿の周囲溝１０３が脂で一杯になっているため、手や手袋が脂に触れたり、床に脂をこぼしたりして汚す可能性があり、さらに、脂が熱い状態で片づける際には油により火傷する可能性もある。
【００１７】
また、一般的に、グリル皿は金属板をプレス加工することで形成される。そのため、効率的な脂切りを実現するために溝部を深くすると（例えば、５ｍｍ）、それに伴って溝部の横幅を広くする必要がある。
【００１８】
その結果、食品と接触する載置面の面積が小さくなり、十分な焼き色を付けたい食品を調理する場合、溝部の上では十分加熱されず、食品に所望の焼き色を付けることが困難となる。
【００１９】
反対に、溝部の横幅を狭くすると溝部が浅くなるため、軟らかい食品は溝部に落ち込み溝部と接することになる。このとき、その食品が脂の多いものであれば、調理中ににじみ出る脂が表面張力により食品と溝部の間にたまって熱伝導を阻害し、食品に十分な焼け色を付けることができない。
【００２０】
すなわち、従来のグリル皿では、脂による後かたづけ時の汚染や食品に所望の焼き色を付けつつ効率的な脂切りを行うという、課題を同時に解決することができない。
【００２１】
本発明は、上記課題を解決するもので、周囲溝の容積を拡大し、脂による汚染を防止するとともに、食品の接する載置面をより広く設けつつ効率的な脂切りを行うグリル皿を実現し、高周波加熱装置におけるグリル皿の衛生と調理性能の向上を図ることを目的とする。
【課題を解決するための手段】
【００２２】
上記課題を解決するために、本発明の調理器具は、載置される食品を調理するための調理器具であって、横方向に並べて設けられ前記食品を載置するための載置面を有する第１および第２の土手部と、前記第１および第２の土手部の間に設けられる溝部と、前記載置面と前記溝部とを囲むように配置された長辺部と短辺部が繋がった周囲溝を備えた調理器具において、前記長辺部の周囲溝を短辺部の周囲溝よりも深くした構成としている。
【００２３】
この構成によって、食品をグリル調理して大量の脂が食品からにじみ出てもグリル皿の周囲溝の長辺部は深い溝となっているため、大量の脂を溜めることができ、調理後にグリル皿を取り出し運ぶ際に、脂が手に付着したり、床にこぼれたりすることがない。
【００２４】
また、本発明の調理器具は、前記載置面の横幅が、前記第１および第２の土手部の縦方向における中央付近で最も広く、前記溝部の深さが、前記第１および第２の土手部の縦方向における中央付近の近傍で最も浅い構成としている。
【００２５】
この構成によって、食品と接する可能性の高い載置面の箇所を広くできることにより、食品に対して載置面からより多くの熱が伝わるようにすることができるとともに、食品からにじみ出る脂が排出され易くすることができる。
【発明の効果】
【００２６】
本発明の調理器具によれば、周囲溝の長辺部の溝を深くすることにより、脂を大量に溜めることができ、グリル皿を持ち運ぶ際でも脂による手や手袋、床の汚染を防止することができるとともに、食品の接する載置面をより広く設けつつ効率的な脂切りを行うグリル皿を実現することができ、高周波加熱装置におけるグリル皿調理の性能向上を図ることが可能となる。
【図面の簡単な説明】
【００２７】
【図１】本発明の実施の形態にかかる調理器具の上面図
【図２】本発明の実施の形態にかかる調理器具の側面断面図
【図３】従来の調理器具の上面図
【図４】従来の調理器具の斜視図
【発明を実施するための形態】
【００２８】
第１の発明は、載置される食品を調理するための調理器具であって、横方向に並べて設けられ前記食品を載置するための載置面を有する第１および第２の土手部と、前記第１および第２の土手部の間に設けられる溝部と、前記載置面と前記溝部とを囲むように配置された長辺部と短辺部が繋がった周囲溝を備えた調理器具において、前記長辺部の周囲溝を短辺部の周囲溝よりも深くするものである。
【００２９】
これにより、グリル調理によって大量に脂が食品からにじみ出てもグリル皿の周囲溝の長辺部を主として大量の脂を溜めることができるので、調理後にグリル皿を取り出し運ぶ際に脂が手に付着したり、床にこぼれたりすることがなく、汚染を防止することができるとともに、脂が熱い状態であっても手が脂に触れないため、油により火傷するという懸念も解消される。
【００３０】
第２の発明は、特に、第１の発明において、前記第１および第２の土手部は、縦方向の位置に応じて前記載置面の横幅が異なる構成とするものである。これにより、食品と接する可能性の高い載置面の箇所を広くすることができ、食品に対して載置面からより多くの熱が伝わるようにすることができる。
【００３１】
第３の発明は、特に、第１の発明または第２の発明において、前記載置面の横幅が、前記第１および第２の土手部の縦方向における中央付近で最も広い構成とするものである。これにより、食品と接する可能性の高い中央付近の載置面の箇所を広くすることができ、食品に対して載置面からより多くの熱が伝わるようにすることができる。
【００３２】
第４の発明は、特に第１の発明において、前記溝部の深さが、前記溝部の縦方向の位置に応じて異なる構成とするものである。これにより、溝部に傾斜を設けることができるの
で、食品からにじみ出る脂が排出され易くすることができる。
【００３３】
第５の発明は、特に第１の発明または第４の発明において、前記第１および第２の土手部の縦方向における中央付近の近傍で最も浅い構成とするものである。これにより、食品と接する可能性の高い載置面の箇所を広くするとともに、食品と接する可能性の高い載置面の箇所を広くするとともに溝部に傾斜を設けることができるので、食品に対して載置面からより多くの熱が伝わるようにできるとともに、食品からにじみ出る脂が排出され易くすることができる。
【００３４】
第６の発明は、特に、第１の発明または第２の発明または第４の発明において、前記溝部の深さを前記載置面の横幅が広い箇所の近傍の方が前記載置面の横幅が狭い箇所の近傍より浅い構成とするものである。
【００３５】
これにより、載置面の横幅が広い箇所の近傍の方から前記載置面の横幅が狭い箇所の近傍に向けて溝部に傾斜を設けることができるので、食品に対して載置面からより多くの熱が伝わるようにできるとともに、食品からにじみ出る脂を前記周囲溝に排出され易くすることができる。
【００３６】
食品と接する可能性の高い載置面の箇所を広くするとともに溝部に傾斜を設けることができるので、食品に対して載置面からより多くの熱が伝わるようにできるとともに、食品からにじみ出る脂が排出され易くすることができる。
【００３７】
第７の発明は、前記載置面の横幅が、前記第１および第２の土手部の縦方向における中央付近で最も広く、前記溝部の深さが、前記第１および第２の土手部の縦方向における中央付近の近傍で最も浅い構成とするものである。
【００３８】
これにより、食品と接する可能性の高い載置面の箇所を広くするとともに、溝部に傾斜を設けることができるので、食品に対して載置面からより多くの熱が伝わるようにできるとともに、食品からにじみ出る脂が排出され易くすることができる。
【００３９】
第８の発明は、加熱室を有し、第１から第７のいずれかの発明の調理器具を備えた加熱装置であり、加熱装置におけるグリル皿調理の性能を向上させることができる。
【００４０】
以下、本発明にかかる調理器具の好適な実施の形態について、図面を参照して詳細に説明する。
【００４１】
図１、図２は、それぞれ本実施の形態にかかるグリル皿の上面図、断面図を示すものである。より具体的には、図２（ａ）は、グリル皿を縦方向から見た場合の断面図であり、図２（ｂ）はグリル皿を横方向から見た場合の断面図である。
【００４２】
図１、図２に示されるように、本実施の形態にかかるグリル皿は、上方から見ると全体として略長方形の形状を有し、その周囲には鍔状の形状を有する縁部２、縁部２の内側に周囲溝３が設けられる。
【００４３】
周囲溝３は、図２に示されるように、溝の深さが異なる長辺部の周囲溝３Ａを短辺部の周囲溝３Ｂとからなり、この長辺部の周囲溝３Ａと短辺部の周囲溝３Ｂは繋がっており、食品からにじみ出た脂が周囲溝３に溜められる構成としている。
【００４４】
周囲溝３の内側には、角に丸みのある細長く薄い直方体形状の土手部１１、２１が、横方向に複数個並べられ、隣り合う２つの土手部１１、２１の間には溝部３０が設けられる
。各土手部は、周囲溝３の一辺から対向する一辺に至るまでの長さがある。
【００４５】
このように、周囲溝３の内側部分は、土手部１１、２１と溝部３０とが横方向に交互に並んだ波形形状となる。周囲溝３の底は、溝部３０の底より低くなっている。
【００４６】
土手部１１、２１の上面には、食品が載置される略平面形状の載置面１２、２２がそれぞれ設けられる。土手部１１、２１および溝部３０の裏面には、フェライトを主成分とする電波吸収体である発熱体４が塗布される。
【００４７】
上記のような構成のグリル皿１を高周波加熱装置の加熱室内に設置し（図示せず）、マイクロ波をグリル皿１の裏面に照射すると、発熱体４が発熱し、載置面１２、２２から伝わる熱で食品を調理することができる。
【００４８】
本実施の形態にかかるグリル皿１は、調理中に食品からにじみ出す脂を、溝部３０を経由して主として長辺部の周囲溝３Ａに溜めようとするものである。
【００４９】
以下、本実施の形態にかかるグリル皿の特徴部分について説明する。
【００５０】
図１に示されるように、土手部１１、２１の上面に設けられる載置面１２、２２の横幅は、土手部１１、２１の縦方向の中央付近で最も広く、周囲溝３に近くなるに従って狭くなっている。
【００５１】
図２（ｂ）に示されるように、溝部３０の底と載置面１２、２２との垂直方向の距離、すなわち、溝部３０の深さＤは、土手部１１、２１の縦方向における中央付近の近傍で最も浅く、周囲溝３に近くなるに従って深くなっている。言い換えると、載置面１２、２２は略平面であるため、溝部３０の底は、土手部１１、２１の縦方向の中央付近で最も高く、周囲溝３に近くなるに従って低くなる形状となる。
【００５２】
さらに、図２に示されるように、長辺部の周囲溝３Ａは短辺部の周囲溝３Ｂよりも溝を深くしており、グリル皿の裏側からみると長辺部の周囲溝３Ａが突起した構造となっている。
【００５３】
この長辺部の周囲溝３Ａと短辺部の周囲溝３Ｂは溝の深さに勾配をもちながら繋がった状態であり、食品からにじみ出た脂が短辺部の周囲溝３Ｂに落下しても長辺部の周囲溝３Ａに向かって流れ、食品から出る脂は主として長辺部の周囲溝３Ａに溜められる構成としている。
【００５４】
これらの特徴により、次のような効果を得ることができる。
【００５５】
（１）食品が載置される可能性が高いグリル皿１の中央付近では、載置面１２、２２の面積が大きいため、食品と載置面との接触面積を大きくすることができる。
【００５６】
（２）グリル皿１の中央付近から周囲溝３に近くなるに従って溝部３０が深くなる。すなわち、グリル皿１の中央付近では、軟らかい食品は溝部３０に落ち込み溝部３０の底と接することになるが、周囲溝３に近くなるに従って食品が溝部３０の底と接する可能性が少なくなるので、調理中ににじみ出る脂は溝部３０の傾斜に沿って周囲溝３に導かれる。
【００５７】
従って、食品と溝部の間に溜まって熱伝導を阻害する脂を除去することができるため、脂の多い食品に対しても十分な焼け色を付けることができる。特に、長辺部の周囲溝３Ａが脂を溜める容積が大きいため、脂が溝部３０や載置面１２、２２に滞留することがなく
、食品に十分な焼け色をより効果的に付けることができる。
【００５８】
（３）溝部３０は、横幅の狭い箇所は浅く、横幅の広い箇所は深くなっているため、グリル皿１は、従来の形状に比べて掃除のし易い形状となる。
【００５９】
（４）上記特徴のため、載置面１２、２２から溝部３０に至るまでの土手部１１、２１の側面は、その傾斜が、土手部１１、２１の縦方向のどの箇所においても略同じ角度となり、特定の箇所だけ他の箇所より急峻になるということがない。従って、本実施の形態にかかるグリル皿１は、プレス加工により容易に形成することができる。
【００６０】
（５）長辺部の周囲溝３Ａは、短辺部の周囲溝３Ｂよりも溝が深くなっている。食品からにじみ出た脂は、主として長辺部の周囲溝３Ａに溜まり、短辺部の周囲溝３Ｂは脂がほとんど溜まらないか、わずかに溜まる状態になる。調理後、脂の溜まった状態のグリル皿１を取り出し持ち運ぶ場合、短辺部の周囲溝３Ｂ側の縁部２に取り付けられた取手（図示せず）を持つが、短辺部の周囲溝３Ｂには脂がほとんど溜まっていないので手や手袋が脂に触れることがなく脂で汚染されることがない。
【００６１】
（６）グリル皿１を持ち運ぶ際に、グリル皿１をある程度傾斜させても脂が周囲溝３からこぼれることもなく、床の汚染も防止できる。
【００６２】
（７）脂が熱い状態でグリル皿１を運んでも脂が手に接触しないので火傷などの懸念も回避することができる。
【００６３】
本実施の形態にかかるグリル皿１のより具体的な構成に関しては、複数の載置面の上に比較的横幅の狭い食器（例えば、コーヒーカップ）を置いた場合でも、その食器が必ず２つの載置面に載るようにして、その食器が倒れないように配慮する。
【００６４】
例えば、そのような食器の底の直径が平均４８ｍｍであるとすると、載置面の横幅を最も広い箇所で３５ｍｍとする。
【００６５】
また、溝部３０に関して、その深さＤは、最も浅いところで１．５ｍｍとし、載置面１２、２２に関して、縦方向の中央からの平均勾配は２度以上とするのが望ましい。
【００６６】
また、図１に示されるように、縁部２の周囲にある鍔状部分の四隅にくぼみ５を設けると、クリル皿１の強度を向上させることができるとともに、調理後に高温となったグリル皿でも取扱い易くすることができる。
【００６７】
さらに、最も脂の出る食品の代表であるハンバーグ４枚をグリル調理した場合、ハンバーグから出る脂の量は１００〜１５０ＣＣであり、長辺部の周囲溝３Ａは、この脂を溜められる容積があればよい。具体的に述べると、従来のグリル皿の周囲溝の容積は約７０ＣＣであり、溝部の底からの深さは１．５ｍｍである。
【００６８】
従来のグリル皿と周囲溝の幅を同じとし、短辺部の周囲溝３Ｂの深さを溝部３０の底から１．５ｍｍとすると、長辺部の周囲溝３Ａの深さは３ｍｍとなり、長辺部の周囲溝３Ａの深さは短辺部の周囲溝３Ｂの少なくとも２倍の深さがあればよい。
【００６９】
以上のように、本発明の調理器具によれば、食品の接する載置面をより広く設けつつ効率的な脂切りを行うグリル皿を実現することができ、高周波加熱装置におけるグリル皿調理の性能向上を図ることが可能となるとともに、調理中に発生した脂を主として長辺部の周囲溝に溜めることができるので調理後にグリル皿を持ち運ぶ際に脂による手や手袋の汚
染、床の汚染を防止することができる。
【００７０】
なお、本実施の形態では、載置面１２、２２を略平面としたが、縦方向、横方向とも、中央付近から溝部３０や周囲溝３に向かって若干の傾斜を持たせてもよく、本実施の形態に留まるものではない。
【００７１】
また、本実施の形態では、金属板をプレス加工することでグリル皿１を形成するとしたが、プレス加工に限定されるものではなく、例えば、グリル皿１を鍛造品から削り出しでの加工により形成することも可能である。
【００７２】
従って、溝部の深さを一定とし、載置面の横幅だけを土手部の縦方向の位置に応じて変える場合や、載置面の横幅を一定とし、溝部の深さだけを土手部の縦方向の位置に応じて変える場合など、用途に応じて任意に設定することができる。
【００７３】
また、本実施の形態では、長辺部の周囲溝３Ａと短辺部の周囲溝３Ｂは溝の深さに勾配をもちながら繋がった状態に加工されているが、長辺部の周囲溝３Ａと短辺部の周囲溝３Ｂは極端な段差があってもよく、プレスなどの加工性を勘案し、任意に構成することができる。
【００７４】
また、短辺部の周囲溝３Ｂは、長辺部の周囲溝３Ａに脂が流れやすいように傾斜させてもよい。
【００７５】
また、本実施の形態では、長辺部の周囲溝３Ａの容積を大きくするために溝の深さを深くしたが、これに限定されるものではなく、食品を載置する面積が小さくなるが、長辺部の周囲溝の幅を大きくしてもよく、用途に応じて任意に設定することができる。
【産業上の利用可能性】
【００７６】
以上詳細に説明してきたように、本発明にかかる調理器具は、電子レンジ等の高周波加熱装置に適用可能である。さらに、シーズヒータなど高周波加熱ではない加熱手段を用いたグリル装置内に設置される波形形状の調理皿にも適用可能である。
【符号の説明】
【００７７】
１  グリル皿
２  縁部
３  周囲溝
３Ａ  長辺部の周囲溝
３Ｂ  短辺部の周囲溝
１１  土手部（第１の土手部）
１２、２２  載置面
２１  土手部（第２の土手部）
３０  溝部
【図４】
2011101723.tif 000003
【図１】
2011101723.tif 000004
【図２】
2011101723.tif 000005
【図３】
2011101723.tif 000006